(57)【要約】      （修正有）【課題】バーコード、磁気ストリップ、ＩＣチップまたはＲＦチップなどの複数の記憶媒体を備えた情報カードに、暗号化情報読み書き装置及びカードに記憶されている情報を読み取るための方法を提供する。【解決手段】本発明は、複数の記憶媒体を備えており、磁気ストリップ、ＩＣチップ、ＲＦチップ等と読み取りおよび書き込み特性が大きな記憶容量を有する複合印刷２Ｄバーコードを組み合わせたベースカードを使用する。前記ベースカード上には、バーとスペースでスペクトル領域内の光に対する異なる反射率を有する３種類の２Ｄバーコードを含み、磁気ストリップまたはＩＣチップ、ＲＦチップに記憶されるデータと３種類のの２Ｄバーコードに記憶されるデータの間に指定された関係がある。本発明はコンタクトイメージセンサ（ＣＩＳ）、磁気ヘッドまたはＩＣチップ読取装置、ＲＦチップ読取装置でベースカード上のデータを読み書きする。【選択図】図１
2005166025.tif 000002
【特許請求の範囲】
【請求項１】
磁気ストリップにより取り付けられ、またはＩＣ読み書きチップまたはＲＦ読み書きチップが取り付けられるベースカードを使用する複数の記憶媒体を備える情報カードであって、前記ベースカードに、バーと空間で第１のスペクトル領域の光に対する異なる反射率を有する第１の２Ｄバーコードを含み、磁気ストリップまたはＩＣチップ、ＲＦチップに記憶されるデータと第１の２Ｄバーコードに記憶されるデータの間に指定された関係があることを特徴とする情報カード。
【請求項２】
ベースカードが、第１のスペクトル領域の光を透過するバーと空間を有する第２のバーコードをさらに含み、第２のスペクトル領域の光に対する第２バーコードのバーと空間の反射率が異なり、第１のバーコードと第２のバーコードが重複しない、あるいは部分的に重複し、第１のバーコードに記憶されるデータと第２の２Ｄバーコードに記憶されるデータの間に指定された関係があることを特徴とする請求項１に記載の複数の記憶媒体を備える情報カード。
【請求項３】
ベースカードが、第１と第２のスペクトル領域の光を透過するバーと空間を有する第３のバーコードをさらに含み、第３のスペクトル領域の光に対する第３のバーコードのバーと空間の反射率が異なり、第１のバーコード、第２のバーコード及び第３のバーコードが重複しない、または部分的に重複し、第１バーコードに記憶されるデータ、第２の２Ｄバーコードに記憶されるデータ及び第３の２Ｄバーコードに記憶されるデータの間に指定される関係があることを特徴とする請求項２に記載の複数の記憶媒体を備える情報カード。
【請求項４】
前記ベースカードが異なる場所または異なる層に位置する磁気ストリップ、ＲＦチップまたはＩＣチップの３つまたは２つを含み、さまざまな媒体に記憶されるデータが指定された関係を有することを特徴とする請求項２に記載の複数の記憶媒体を備える情報カード。
【請求項５】
第１、第２及び第３のスペクトル内の光がそれぞれ赤外線光、紫外線光、及び可視光の１つであることを特徴とする請求項３に記載の複数の記憶媒体を備える情報カード。
【請求項６】
２Ｄバーコードを走査するＣＩＳモジュールを備え、磁気ストリップに情報を読み書きする磁気ヘッド、またはＩＣ読み書きチップまたはＲＦ読み書きチップ内に情報を読み書きする読取装置の１つ、２つまたは３つをさらに備えることを特徴とする複数の記憶媒体を備える情報カードに記憶される情報を読み書きするための装置。
【請求項７】
長穴を備える棚、回路基板及びＩＣ読み書きチップの読取装置のために使用されるスイッチをさらに備え、磁気ヘッド、ＩＣチップの情報を読み取るための読取装置、ＲＦチップの情報を読み取るための読取装置、及びスイッチが長穴の側壁上に設置され、回路基板に電気的に接続され、ＣＩＳモジュールが棚の片側で固定され、スイッチと回路基板に電気的に接続されることを特徴とする請求項６に記載の装置。
【請求項８】
本体３４０、回路基板３３０、第１のトローリー３６０及び第２のトローリー３６１をさらに備え、前記ＣＩＳモジュール、磁気ヘッド及びＩＣチップの情報を読み取るための読取装置、ＲＦチップの情報を読み取るための読取装置が回路基板３３０に電気的に接続され、本体３４０に固定され、読み取り用ウィンドウと書き込み用ウィンドウがそれぞれ情報カードの片側に位置し、第１のトローリー３６０と第２のトローリー３６１が本体３４０の上に結合され、ＣＩＳモジュールの片側で平行に位置することを特徴とする請求項６に記載の装置。
【請求項９】
給紙装置４１、駆動機械４２及び回路基板４３をさらに備え、給紙装置４１が駆動機械４２に接続し、ＣＩＳモジュールの走査ウィンドウ全体で情報カードスライドを駆動し、磁気ヘッド読取装置が、上側が給紙プレートの同じ平面上にある給紙装置４１に固定され、ＲＦ読み書きチップを読み取る読取装置が給紙装置４１に固定され、ＣＩＳモジュール、磁気ストリップにデータを読み書きする磁気ヘッド、及びＲＦ読み書きチップを読み取る読取装置が回路基板４３に電気的に接続されることを特徴とする請求項６に記載の装置。
【請求項１０】
基部５１、駆動走査装置、ＣＩＳモジュール上の透明プレート５２、及び基部５１に固定されるモジュール上で電子的に連結するための回路基板５３をさらに備え、ＲＦチップ内に記憶されるデータを読み取るための読取装置がＣＩＳモジュールに固定され、駆動走査装置がＣＩＳモジュールを透明プレート５２に沿って移動させることを特徴とする請求項６に記載の装置。
【請求項１１】
記号データ及び第１のタイプのデータを取得するために、磁気ストリップまたはＩＣ読み書きチップ、ＲＦ読み書きチップに記憶されるデータを読み取るステップと、
第２のタイプのデータを取得するために２Ｄバーコードを走査するステップと、
第１のタイプのデータを第２のタイプのデータに比較し、該２つのタイプのデータが記号データを介して指定される関係に一致するかどうかを判断するステップと、
該２つのタイプのデータが指定された関係性に一致しない場合に、読み書きのプロセスを終了し、それ以外の場合、磁気ストリップ、ＩＣチップ、またはＲＦチップに記憶されるデータ及び記号データを更新するステップと、
を備えることを特徴とする、磁気ストリップまたはＩＣ読み書きチップ、ＲＦ読み書きチップ及び２Ｄバーコードを含むベースカードを備える複数の記憶媒体を備える情報カードに情報を読み書きするための方法。
【発明の詳細な説明】
【技術分野】
【０００１】
本発明は、複数の記憶媒体及び１個の素子を備える情報カード、及び前記カードに情報を読み書きするための方法に関し、特に、バーコード、磁気カード、ＩＣ及び無線周波数識別、及び素子の技術を同時に使用する複数の記憶媒体を備える情報カード、及び前記カードに情報を読み書きするための方法に関する。
【背景技術】
【０００２】
おもに写真、バーコード、磁気カード、ＩＣ、無線周波数等の技術を含む自動識別技術は現在では多様な給紙で幅広く応用され、それぞれその優位点と不利な点を持っている。
【０００３】
新しい複合技術を使用してデータを記憶するための２Ｄバーコードには大きな記憶領域、低コストという特性があり、修正することはできない。２Ｄバーコードのデータ記憶容量は、２Ｄバーコードのパターンの複数の層がまさに同じ領域で異なる印刷材料と技術を使用して形成される場合に、大幅に増加できる。新しい印刷技術で生成されるバーコードに含まれるバーコード情報を再生によって完全に取得することはできない。しかしながら、バーコード情報は修正できないため、それはデータの修正を必要とするいくつかの分野に制限されている。
【０００４】
磁気ストリップ記憶媒体は、キャッシュカード、クレジットカード、識別カード及び預金通帳等の多様な分野で幅広く使用されてきた。磁気カードは安価であるが、摩耗しやすく、一般的には数十ビットという小さなデータ記憶容量しか有さない。磁気ストリップ記憶媒体は容易に修正可能であり、操作が便利である。しかしながら、磁気ストリップのセキュリティキーのセキュリティレベルは十分に強力ではなく、容易に不法に修正される。
【０００５】
ＩＣチップカードは少し高いコストとなるが、データ記憶容量は大きく、セキュリティレベルは高い。しかしながら、その接点が露呈されているため、ＩＣチープカードは静電気、または手で容易に損傷を受ける。
【０００６】
無線周波数チップカードの主要な優位点は、使用時にそれが無接点であることである。その結果として、無線周波数チップカードは、識別時に人が関与することを必要とせず、自動化を実現するのに適しており、耐久力があり、操作が便利である。短距離無線周波数チップカードは、要すればバーコードを置換することがある油、埃、及び他の汚染された環境で使用される。例えば、短距離無線周波数チップカードは工場の流線上で物体を追跡調査することができる。一般的には、無線周波数識別（ＲＦＩＤ）システムは電気ラベル及び読取装置を備える。
【０００７】
多様な自動識別技術を別々に適用する場合、それらの技術自体の不利な点を回避する方法はない。例えば、その成熟度と迅速な読み書き速度のためにキャッシュカードで幅広く応用されている磁気ストリップ技術は大部分の銀行応用例の要望を満たすことができる。しかしながら、まさに容易に修正される、及びデータ記憶容量が小さいという理由により、磁気ストリップの暗号化されたデータは不法に修正される傾向があり、したがって重大な損失をもたらす。それにも関わらず、２Ｄバーコードは大きなデータ記憶容量を有し、低コストで、修正できず、複合印刷による再生を防ぐことができる。しかしながら、それは不変であるため、修正された情報の記録を必要とするいくつかの分野では制限されていた。
【発明の開示】
【発明が解決しようとする課題】
【０００８】
本発明の目的は、バーコード、磁気ストリップ、ＩＣチップまたはＲＦチップなどの複数の記憶媒体を備えた情報カードを提供し、暗号化情報読み書き装置及びカードに記憶されている情報を読み取るための方法を提供することである。バーコード、磁気ストリップ、ＩＣチップ及びＲＦチップの統合されたカードに記憶される情報は無事に読み出し、復号できる。
【課題を解決するための手段】
【０００９】
本発明は、複数の記憶媒体と、磁気ストリップにより取り付けられた、あるいはＩＣ読み書きチップまたはＲＦ読み書きチップが取り付けられるベースカードを備えた情報カードを提供し、前記ベースカード上にはバーと空間で第１のスペクトル領域の光に対してさまざまな反射率を有する第１の２Ｄバーコードを含み、磁気ストリップまたはＩＣチップ、ＲＦチップに記憶されるデータと第１の２Ｄバーコードに記憶されるデータの間に指定された関係がある。
【００１０】
本発明による情報カードのベースカードは、さらに、
第１のスペクトル領域内の光に対して透明な（該光を透過する）バーと空間を有する第２のバーコードであって、第２のスペクトル領域の光に対する第２のバーコードのバーと空間の反射率が異なり、第１のバーコードと第２のバーコードは重複しない、あるいは部分的に重複し、第１のバーコード内に記憶されるデータと第２の２Ｄバーコードに記憶されるデータの間に指定された関係がある第２のバーコードと、
第１と第２のスペクトル領域内の光に透明な（該光を透過する）バー及び空間を有する第３のバーコードであって、第３のスペクトル領域の光に対する第３のバーコードのバーと空間の反射率が異なり、第１のバーコード、第２のバーコード及び第３のバーコードが重複しない、あるいは部分的に重複し、第１のバーコードに記憶されるデータ、第２の２Ｄバーコードに記憶されるデータ、及び第３の２Ｄバーコードに記憶されるデータの間に指定された関係がある第３のバーコードと、
さまざまな媒体に記憶されるデータが指定される関係を有する、異なる場所または異なる層に位置する磁気ストリップ、ＲＦチップまたはＩＣチップの３つまたは２つと、
を備え、
第１、第２及び第３のスペクトルの光が、それぞれ赤外線、紫外線及び可視光の１つである。
【００１１】
本発明は、２Ｄバーコードを走査するＣＩＳモジュールを備え、磁気ストリップ内の情報を読み書きする磁気ヘッド、またはＩＣ読み書きチップに情報を読み書きする、またはＲＦ読み書きチップ読取装置の１つ、２つまたは３つをさらに備える、複数の記憶媒体を備える情報カードに記憶される情報を読み書きするための装置も開示する。
【００１２】
また、本発明は、
記号データ及び第１のタイプのデータを取得するために、磁気ストリップまたはＩＣ読み書きチップ、ＲＦ読み書きチップに記憶されるデータを読み取るステップと、
第２のタイプのデータを取得するために２Ｄバーコードを走査するステップと、
第１のタイプのデータを第２のタイプのデータと比較し、該２つのタイプのデータが記号データを介して指定された関係と一致するかどうかを判断するステップと、
該２つのタイプのデータが指定された関係性と一致しない場合に、読み取りと書き込みのプロセスを終了し、それ以外の場合には情報カードに記憶される他の情報を読み取るステップと、
必要とされるように情報を出力し、磁気ストリップ、ＩＣチップ、またはＲFチップに記憶されるデータ、及び記号データを更新するステップと、
を備える、磁気ストリップ、またはＩＣ読み書きチップ、ＲＦ読み書きチップ、及び２Ｄバーコードを含むベースカードを備える複数の記憶媒体で情報カードに情報を読み書きするための方法も開示する。
【００１３】
本発明は、磁気ストリップ、ＩＣ、ＲＦＣ等の記憶媒体と複合印刷２Ｄバーコードの組み合わせにより情報を保存するために、磁気ストリップの記憶領域、消去性、及びＩＣ、ＲＦＩＤ及び他の媒体の幅広い応用例分野の優位点と、修正されず、再生を防止する複合印刷２Ｄバーコードの大きなデータ記憶容量を十分に組み合わせる。応用例では、暗号化された情報及び修正されることが予期されていないデータが複合２Ｄバーコードに記憶され、修正されることが予期されるデータは磁気ストリップ媒体に記憶される。また、複合印刷２Ｄバーコード各層の上のデータ情報と、磁気ストリップ記憶媒体内のデータ情報の間に機能上の関係を確立することができ、このようにしてデータ暗号化のレベルを大幅に高める。
【００１４】
本発明は、ＣＩＳの技術と、磁気ストリップ、ＩＣ読取装置及びＲＦＩＤ読取装置の技術を結合し、複数の記憶媒体を備える情報カードに情報を読み書きするための装置と、カードスライド、給紙、プレート及びｂｒｏｏｍ−ｐｕｓｈｉｎｇのパターンなどの対応する方法、及び複数の記憶媒体を備える情報カードのための読み書き方法を開示する。既存の単一記憶媒体と対応する読み書き装置は幅広く応用されるので、データセキュリティは対応する読み書き装置及びワークフローを大規模に変更することなく大幅に強化することができるので、このような統合適用方法が大量のデータを記憶するカードを作る。
【発明を実施するための最良の形態】
【００１５】
以下の説明においては、本発明の完全な理解を提供するために図面と特定の詳細が述べられる。
【００１６】
ここでは、一般的に応用されているキャッシュカードを例として挙げる。中国における銀行業の発展にともない、キャッシュカードはますます応用されてきた。各キャッシュカードは磁気媒体であり、２つまたは３つのトラックしか有さず、数十ビットの小さな記憶容量しか有さないために、対応する銀行口座が不法に取得されるときに偽造される傾向があり、このようにして合法的な客の多大な損失を生じさせている。
【００１７】
本発明は、バーコード、磁気カード、ＩＣ及び無線周波数識別技術を使用して複数の記憶媒体を備える情報カードを提供するために多層印刷２Ｄバーコードの大きな記憶容量を結合する情報カードを提供する。本発明は、さらにカード内の情報を読み書きするための装置と方法を提供する。このようにしてデータセキュリティレベルは大幅に高められる。
【００１８】
図１は、本発明による複数の記憶フォーマットを備える情報カードの概略図であり、バーコード１１０、磁気ストリップ１２０、ＩＣチップ１００、及びＲＦＩＤチップ１３０を備えるＰＶＣカードの三次元レイアウトを示す。図面の左側はＰＶＣカードの前面プラットホームを示し、ＰＶＣカードはバーコード１１０とＩＣチップ１００を含み、そのバーコードは、
可視光及び赤外線光を伝達する紫外線光読み取り可能２Ｄバーコード層１１２と、
赤外線を伝達する可視光読み取り可能２Ｄバーコード層１１４と、
赤外線読み取り可能２Ｄバーコード層１１６と、
の３つの層のあるＣＭ ２Ｄバーコードである。
【００１９】
情報カードの前面は、ＩＣチップ１００で囲まれ（ＩＣチップ１００が取り付けられ）、複合印刷２Ｄバーコード１１０が取り付けられ、裏側では、磁気ストリップ１２０で囲まれ（磁気ストリップ１２０が取り付けられ）、その間はＲＦＩＤチップ１３０で囲まれ（ＲＦＩＤチップ１３０が取り付けられ）、情報が記憶される。情報カードのベースカードはＰＶＣカードであり得る。したがって、ＩＣチップ１００とバーコード１１０が同じ表面上にあるが、それらは別々の場所に位置している一方、ＩＣカード１００とバーコード１１０が磁気ストリップ１２０、ＲＦＩＤチップ１３０と同じ表面にないことが分かる。
【００２０】
複数の記憶媒体を備える情報カードを製造するために、第１に、図３に図示されるように、修正が予期される情報を２Ｄ複合バーコードに符号化する。磁気ストリップ、ＩＣチップ及び無線周波数識別チップの中の情報は常に直接的に書き込み、修正できる。例えば、処理中に修正が予期される情報を符号化し、ＲＦＩＤチップの記憶領域に書き込む。ＲＦＩＤチップに前記情報を書き込むためには書き込み装置が必要である。電磁波を符号化情報とともに送信することにより、書き込み装置はＲＦＩＤチップ１３０と結合し、ＲＦＩＤチップ１３０は書き込み装置からコマンドとデータを取得できる。ＲＦＩＤチップ１３０のプロセッサはＲＦＩＤチップ１３０のメモリにデータを書き込み、次にＩＣチップの書き込み装置がＩＣチップ１００のメモリに情報を書き込み、磁気ストリップの書き込み装置が磁気ストリップ１２０に情報を書き込む。取得されたバーコード１１０はベースカード（例えばＰＶＣカード）の表面に印刷され、情報が書き込まれたＩＣチップ１００はベースカード内で囲まれ、磁気ストリップ１２０がベースカードの表面に取り付けられ、また、ＲＦＩＤチップ１３０はベースカードに埋め込まれる。
【００２１】
図３は、符号化のプロセスのフローチャートを示す。符号化のプロセスは、メモリにロードされる文書を暗号化し、データの長さを取得するステップと、該データを設定されたデータエラー訂正レベルに従って異なるデータブロックに分割するステップと、各データブロックでエラー補正演算を実行し、次にエラー補正コードワードを作成するステップと、ビットごとにインタリーブされる順序ですべてのデータブロックを配列するステップと、メモリ内のオブジェクトマトリックスに対応するビットマトリックスを作成し、マトリックスのデータ領域をビットごとに取得されたデータで充填するステップと、次にマスキング動作を実行し、制御ビットを生成するステップと、制御情報領域を生成された制御ビットで充填するステップと、開始パターン、終了パターン及び位置決め線パターンをマトリックスに追加するステップと、指定されるモジュールの幅と高さに従ってビットマトリックスを画像マトリックスに変換し、画像を出力するステップとを備える。図４は、以下のステップ、つまり復号のプロセスのフローチャートである。復号プロセスは、（つまり磁気ストリップで囲まれ、磁気ストリップ上で部分的にまたは完全に重複してよい複合印刷２Ｄバーコードが取り付けられる同じベースカード上で）複合印刷２Ｄバーコードを磁気ストリップと結合するステップを備える。磁気ストリップに情報を読み書きするとき、バーコードはそれと矛盾しない。したがって、磁気ストリップ及びバーコードは互いに全く影響しあわない。２Ｄバーコードが変更または修正が予期されないデータを記憶するために使用される一方、磁気ストリップメモリは変更または修正が予期されるデータを記憶できる。
【００２２】
さまざまな機会に情報を記憶するとき、以下の組み合わせ、つまり複合磁気記憶装置技術と可視光読み取り可能２Ｄバーコード、磁気記憶技術と赤外線読み取り可能２Ｄバーコード、磁気記憶技術と紫外線光印刷２Ｄバーコード、複合磁気記憶技術と３つの内の２つまたは３つの２Ｄバーコード印刷技術の１つを使用する。情報を読み取るときに、磁気ストリップの中の情報は既存の幅広く使用されている磁気ヘッド装置によって読み取ることができ、複合印刷２Ｄバーコードの中の情報はさまざまな光源とセンサにより磁気ヘッド装置とともに機能する光電子バーコード読取装置によって読み取ることができる。
【００２３】
これらの３つの種類の２Ｄバーコードは、そのセキュリティキーを磁気ストリップまたはＩＣチップまたはＲＦＩＤチップに記憶できる暗号を含むことができる。複合するための走査として、復号するために成功できるセキュリティキーだけが最初に取得される。
【００２４】
１つの媒体で２Ｄバーコードを印刷するためには、最初に赤外線光を反射できる印刷インクを使用して２Ｄバーコードの１つの層を、次に赤外線光を伝達する以外に可視光を反射できる印刷インクを使用して第２の層を、最後に可視光を伝達する以外に紫外線光と赤外線光を反射できる印刷インクを使用して第３の層を印刷する。２Ｄバーコードのこれらの３つの層は、相互にまたは部分的に重複できるか、あるいは全く重複できない。各バーコード印刷インクの光反射特性は調整または混合できる。
【００２５】
図２は、暗号化された情報の記憶及び読み取りのフローチャートである。暗号化情報を記憶するプロセスにおいて、例えば磁気ストリップ記憶媒体と２Ｄバーコードから構成される情報カードを取ると、第１のステップは記憶データを作成することである。第２のステップは磁気ストリップ記憶媒体内のデータ情報と２Ｄバーコード内のデータ情報間の関係を定義することである。２Ｄバーコードの中の情報データは暗号化可能であり、対応するセキュリティキーは磁気ストリップ記憶媒体に記憶できる。第３のステップは、２Ｄバーコードの各層内のデータ情報間の関係を定義することである。このような関係が機能上の関係である場合があるか、あるいはバーコードの上層はバーコードの下層の復号セキュリティキーを記憶し、下部バーコードは、バーコードの上層が無事に復号されるまで読み出すことができる。第４のステップは磁気ストリップと複合印刷２Ｄバーコードを製造することである。そして第５のステップは定義された関係に従って各層のデータを検査することである。
【００２６】
データ間の関係の構成は、つまり２Ｄバーコードとして修正されることが予期されない第２のタイプのデータを変換することと、頻繁に修正が予期される第１のタイプのデータと、第２のタイプのデータを、指定されている数学公式に従って記号データに変換することである。次に第１のタイプのデータと記号データを磁気ストリップ、ＩＣチップまたはＲＦＩＤチップに書き込む。記号データは、データが更新されるにつれ更新される。
【００２７】
対応する読み書きプロセスは、以下のステップ、つまり磁気ストリップ、ＩＣチップまたはＲＦチップからデータを読み取り、第１のタイプのデータを読み取られたデータから分割するステップと、２Ｄバーコードに記憶されている第２のタイプのデータを走査し、復号するステップと、第１のタイプのデータを第２のタイプのデータと比較するステップと、該２つのタイプのデータが記号データとの指定された関係性に一致するかどうかを確認するステップとを備える。該２つのタイプのデータが指定される関係性に一致しない場合には、読み書きのプロセスは終了する。それ以外の場合、情報カードに記憶される他のデータが読み取られる。プロセスは、読み取られたデータを出力し、磁気ストリップ、ＩＣチップ、またはＲＦチップに記憶されるデータと記号データを更新するステップをさらに備える。
【００２８】
暗号化情報を読み取るプロセスは、磁気ストリップと２Ｄバーコードの複合記憶媒体を作成する第１のステップと、磁気ストリップの読取装置を使用して磁気ストリップに記憶される情報を読み取る第２のステップ、さまざまな光源及び対応するセンサにより２Ｄバーコードの読み取り装置を使用して複合２Ｄバーコードの各層内にデータ情報を読み取る第３のステップと、定義されたように、磁気ストリップ記憶媒体内のデータ情報と、２Ｄバーコードの各層内のデータ情報間の関係を検査する第４のステップと、識別を検査し、定義された関係と一致しない場合警報を発し、それ以外の場合、続く定められた割り当てを続行する第５のステップとを備える。
【００２９】
既存のキャッシュカードを作り直すことによって、本発明は、既存のキャッシュカードで使用でき、それは実現できる。このようにして、それは磁気ストリップの数十ビットの元の記憶領域を、複合２Ｄバーコードの数千ビットのデータ記憶容量に変更し、相応して暗号化セキュリティとセキュリティキーのレベルを高めることができる。
【００３０】
図３と図４は、それぞれ２Ｄバーコードの符号化と復号のプロセスである。復号プロセスは、つまり（ａ）バーコード画像データ情報を取得するために走査するステップと、（ｂ）画像を回転し、カットし、値を２倍にするステップと、（ｃ）画像トランザクションの結果に基づいてバーコードのデータコードワードを取得するステップと、（ｄ）エラー補正演算を使用してコードワードを補正し、補正されたコードバードを復号するステップと、（ｅ）復号された情報を出力するステップとを含む。
【００３１】
本発明による複数の記憶媒体を備える情報を記憶するための情報カードの読取装置は、複合２Ｄバーコードを走査できるＣＩＳ（コンタクトイメージセンサ）モジュールを利用する。センサは赤外線光源、可視光源、及び紫外線光源を含む。走査中、３つの異なる光源が時分割で働き、等しく複合バーコードを照明する。ＣＩＳモジュールは縦列レンズを通して複合２Ｄバーコードにより反射される光を受光してから、次に電気信号に変換し、外部回路に送信するための光電センサも有する。赤外線光源が働くとき、複合２Ｄバーコード内の赤外線光を反射するバーコード層が読み出され、復号のためのバーコードの対応する情報の第１の部分を含む電気信号に変換される。可視光源が働くとき、複合２Ｄバーコード内の可視光を反射するバーコード層が読み出され、復号のためのバーコードの対応する情報の第２の部分を含む電気信号に変換される。紫外線源が働くとき、複合２Ｄバーコード内の紫外線光を反射するバーコード層が読み出され、復号のためのバーコードの対応する情報の第３の部分を含む電気信号に変換される。ＣＩＳモジュールは、線光電センサ、またはスロットに垂直な方向で走査する面光電センサも備える。
【００３２】
図５は、無線周波数識別システムの概略図を示す。無線周波数を識別するための回路は２つの部分、つまり識別されるオブジェクト内に埋め込まれるＲＦＩＤチップ（つまり、ＲＦ読み書きカード）と、ＲＦＩＤチップに記憶される情報を読み取るための読取装置を備える。
【００３３】
ＲＦＩＤチップは、作業するために協調するアンテナループ２１０４、発電回路２１０５、メモリ２１０６、及び制御回路２１０７を備える。記憶装置２１０６は、ＥＥＰＲＯＭまたはフラッシュなどの消去可能装置である。本発明による複数の記憶媒体を備える情報カードはこのようなＲＦＩＤチップで囲まれる（ＲＦＩＤチップが取り付けられる）。
【００３４】
読取装置は、読み書きコントローラ２１０１、読み書きコントローラ２１０１により制御され、読み書きコントローラ２１０１とデータを交換するトランシーバ２１０２、情報を送受信するためにトランシーバ２１０２に接続されるアンテナループ２１０３、外部メインフレームに接続する通信インタフェースがその上に存在する読み書きコントローラ２１０１を備える。本発明による読み書き装置は、ＲＦＩＤチップに記憶される情報を読み取り、更新するためにこのような読取装置を使用する。
【００３５】
図６は、読取装置２１０、イメージセンサモジュール２２０、ＰＣＢ２３０、本体２４０、上部カバー２５０、下部カバー２５１、スイッチ２６０及びケーブル２７０を備える本発明によるスロットカード装置の構造略図を示す。読取装置２１０は、ＲＦチップを読み取るＲＦ（無線周波数）読取装置、ＩＣチップを読み取るＩＣチップ読取装置、または磁気ストリップ上の情報を読み取る磁気ヘッドであり得る。本体２４０は、長穴を備える棚を有する。スイッチ２６０は、光電子スイッチまたは機械的なスイッチのいずれかであり得る。
【００３６】
ＰＣＢ２３０は本体２４０の上にネジ留めされ、ケーブル２７０はＰＣＢ２３０の対応する出力インタフェースに接続される。読取装置２１０及びイメージセンサモジュール２２０は本体２４０の対応する位置決め穴の上にネジで留められ、ＰＣＢ２３０を通して磁気信号及び光信号をデータ信号に変換し、ケーブル２７０を介して外部に送信する。本体２４０は下部カバー２５１の対応する位置決め穴の上にネジで留められる。上部カバー２５０は下部カバー２５１の上にしっかり留められている。スイッチ２６０は本体２４０の対応する位置決め穴の上にネジで留められる。カードが本体２４０のブラッシング長穴を通過すると、スイッチ２６０が、ＰＣＢ２３０によってイメージセンサモジュール２２０と読取装置２１０をトリガし、情報カードの中の対応するデータ信号を取得する。
【００３７】
読取装置２１０がＩＣチップ読取装置である場合には、カードが本体２４０の長穴を通過すると、スイッチ２６０がそれをロックする。いま、カード上のＩＣチップがＩＣチップ内の情報を読み取るＩＣチップ読取装置２１０に電気的に接触する。無事に読み出すと、ＰＣＢ２３０上のＬＥＤインジケータが点滅し、その上のブザーが、ユーザーにカードを差し込み続けるように示す音を出す。一方ではスイッチ２６０が緩み、バーコード信号を取得するためにＰＣＢ２３０によってイメージセンサモジュール２２０をトリガする。
【００３８】
図７は、読取装置３１０、イメージセンサモジュール３２０、ＰＣＢ３３０、本体３４０、上部カバー３５０、第１のローラ３６０、第２のローラ３６１、ケーブル３７０及びボタン３８０を備える本発明によるｂｒｏｏｍ−ｐｕｓｈｉｎｇ読み書き装置の略図である。読取装置３１０は、ＲＦチップを読み取るＲＦ読取装置、ＩＣチップを読み取るＩＣチップ読取装置、または磁気ストリップ上の情報を読み取る磁気ヘッドであり得る。
【００３９】
読取装置３１０及びイメージセンサモジュール３２０は、本体３４０の対応する位置決め穴の上にネジで留められている。ＰＣＢ３３０は本体３４０上にネジで留められ、磁気信号と光信号をデータ信号に変換し、ＰＣＢ３３０の対応するデータ出力インタフェース上にしっかりと留められるケーブル３７０を通って外部に送信する。
【００４０】
ボタン３８０は上部カバー３５０の上にしっかりと留められる。ボタン３８０を押し、読み書き装置を移動し、次に走査を開始する。第１のローラ３６０と第２のローラ３６１が、カードスライドトラックが確実にまっすぐであるために本体３４０上で結合され、上部カバー３５０は本体３４０の上にしっかりと留められている。
【００４１】
読取装置３１０が回路基板３３０に電気的に接続され、本体３４０に固定され、読み取り用ウィンドウと書き込み用ウィンドウがそれぞれ情報カードの片側に位置し、第１のローラ３６０と第２のローラ３６１が本体３４０の上に結合され、イメージセンサモジュール３２０の片側で平行に位置する。
【００４２】
図８は、給紙装置４１、駆動機械４２、回路基板４３、光走査素子４４、ＲＦＩＤ送信ループ４５、磁気ヘッド４６、ステップアドバンスモータ４７を備える本発明による給紙読み書き装置の分解構造の略図を示す。
【００４３】
給紙装置４１は給紙プレート４１１、長穴ブロック４１２及び該給紙プレート上に備えられる誘導スイッチ４１３を備え、前記構成部品が給紙コンソールを構成する。給紙プレート４１１上には、給紙位置決め線として使用されるフランジ４１１１、誘導スイッチを固定するためのクリップ留め構造４１１２、及び長穴ブロック４１２を誘導するための給紙スルー４１１３がある。
【００４４】
駆動機械４２は支持棚４２１、減速ギヤグループ４２４、ローラ４２５、及び支持スプリングパッチ４２６を備える。支持棚４２１は、以下、つまり光走査素子の支持部分４２１１、ドライバの支持部分４２１２、給紙プレートの支持部分４２１３、回路基板の支持基盤４２１４、及びメインシステムを接続するための結合穴４２１５に分割できる。
【００４５】
回路基板４３は、復号、走査、識別、制御及び駆動のために使用され、支持棚４２１にネジで留められ、電力を供給し、信号を送信するためにケーブルにより光走査素子４４、ＲＦＩＤ送信ループ４５、磁気ヘッド４６、及びステップアドバンスモータに接続される電気要素を備えている。
【００４６】
光走査素子４４は、感光支持要素４２１１の上に固定され、画像を電気情報に変換する。
【００４７】
磁気ヘッド４６は給紙プレートの片側に固定されている。磁気ヘッド４６の上面が給紙プレートの同じ平面上にある。磁気カードが給紙プレートに沿って移動するときに、磁気ヘッドは磁気の変化を電気信号に変換する。
【００４８】
ＲＦＩＤ送信ループ４５が、近くでＲＦＩＤチップが電気を誘導し、チップを駆動させる高速変更電磁場を生成するための給紙プレート４１１の片側の下に固定される。
【００４９】
ステップアドバンスモータ４７は、減速ギヤグループ４２４を通して回転するためにローラ４２５を、及び水平に移動し、それぞれ情報カードに記憶されている磁気ストリップ情報、複合２Ｄバーコード情報、及びＲＦＩＤ情報を読み出すために複数の記憶媒体を備える情報カードを駆動する。
【００５０】
給紙装置４１が駆動機械４２に接続し、イメージセンサモジュールの走査ウィンドウ全体で情報カードスライドを駆動し、ＲＦ読み書きチップを読み取る読取装置が給紙装置４１に固定され、イメージセンサモジュール、磁気ストリップにデータを読み書きする磁気ヘッド４６、及びＲＦ読み書きチップを読み取る読取装置が回路基板４３に電気的に接続される。
【００５１】
図９は、基部５１、駆動機械５２、光電子無線周波数誘導子、及び回路基板５３を備える、本発明によるプレート読み書き装置の分解構造の略図を示す。
【００５２】
駆動機械５２がモータ５７、ギヤ５８、シャフト５１１、ベルトホイール５１２、歯形ベルト５１０、締付けバネ５１６、長穴ブロック５９、固定棚５１３、光電気無線周波数誘導子棚５６、及び２つのバネ５１４を備える。
【００５３】
光電子無線周波数誘導子は、統合された光走査素子５４とＲＦＩＤ送信ループ５１９を備える。
【００５４】
ギヤ５８は、モータ５７のギヤに連動している。モータは基部の対応する位置にネジで留められている。棚により協調される固定棚５１３は、該棚を基部にネジで止める。ベルトホイール５１２は固定軸５１７上で固定される。歯形ベルト５１０はギヤ５８をベルトホイール５１２に連結するために使用される。締付けバネ５１６は歯形ベルト５１０を締め付け、弾性的にするために歯形のベルト５１０に固定されている。長穴ブロック５９はシャフト５１１上に可動で取り付けられ、歯形ベルト５１０に連動し、柔らかなコロイドによって接着される。光電子無線周波数誘導子棚５６は、２つのバネ５１４を接着剤で付けた長穴ブロック５９の上にネジで留められる。支持柱５５は光走査素子５４の事前に確保された穴に固定される。ガラス５２は基部の位置決め柱５１８上に備えられる。
光走査素子５４は、画像を電気情報に変換するためのセンサ素子である。
【００５５】
ＲＦＩＤ送信ループは、近くでＲＦＩＤチップが電気を誘導し、チップを駆動する高速変化電磁場を生成するために使用される。
【００５６】
回路基板５３には、復号、走査、識別、制御及び駆動のために使用され、基部にネジで留められ、電力を供給し、信号を送信するためにケーブルによって光走査素子５４、ＲＦＩＤ送信ループ５１９、及びステップアドバンスモータに連結される電子素子が備えられる。
【００５７】
ガラス５２はイメージセンサモジュール上に設けられ、ＲＦチップ内に記憶されるデータを読み取るための読取装置がイメージセンサモジュールに固定され、駆動走査装置がイメージセンサモジュールをガラス５２に沿って移動させる。
【図面の簡単な説明】
【００５８】
本発明は、以下のとおりに図面を含む。
【図１】本発明の実施形態に従って複数の記憶媒体を備える情報カードの一例を示す。
【図２】本発明の実施形態による情報カードに情報を記憶し、読み取るフローチャートである。
【図３】本発明の実施形態に従って符号化するフローチャートである。
【図４】本発明の実施形態に従って復号するフローチャートである。
【図５】無線周波数識別技術を描く概略図である。
【図６】スロットカード装置の一例を示す。
【図７】ｂｒｏｏｍ−ｐｕｓｈｉｎｇ読み書き装置の一例を示す。
【図８】給紙読み書き装置の一例を示す。
【図９】プレート読み書き装置の一例を示す。
【符号の説明】
【００５９】
４１                        給紙装置
４２                        回路機械
４３，５３，２３０，３３０  回路基板
４６                        磁気ヘッド
５１                        基部
５２                        ガラス（透明プレート）
１００                        ＩＣチップ
１１０                        ２Ｄバーコード
１１２                        第３の２Ｄバーコード
１１４                        第２の２Ｄバーコード
１１６                        第１の２Ｄバーコード
１２０                        磁気ストリップ
１３０                        ＲＦＩＤチップ
２１０                        読取装置
２２０                        イメージセンサモジュール（ＣＩＳモジュール）
２６０                        スイッチ
２４０，３４０                本体
３６０                        第１のトローリー
３６１                        第２のトローリー
【図１】
2005166025.tif 000003
【図２】
2005166025.tif 000004
【図３】
2005166025.tif 000005
【図４】
2005166025.tif 000006
【図５】
2005166025.tif 000007
【図６】
2005166025.tif 000008
【図７】
2005166025.tif 000009
【図８】
2005166025.tif 000010
【図９】
2005166025.tif 000011